(57)【要約】【課題】本発明は構造が簡単で、左右の躯体間の近接を最小限まで可能にできるとともに、風でバタついたりするのを効率よく阻止することができる安価で設置が容易な目地装置を得るにある。【解決手段】目地部を介して設けられた左右の躯体の一方の目地部側壁面に一端部が枢支され他端部が該枢支部よりも上方に位置するように他方の目地部側壁面近傍に位置する目地プレートと、この目地プレートの他端部を支持する他方の目地部側壁面に固定された支持体と、この支持体に目地プレートの他端部が支持されるように付勢するとともに目地部が狭くなると目地プレートの他端部の上方への回動を阻止しない付勢機構と、目地プレートの他端部が支持体よりも下方へ回動するのを阻止するストッパー機構とで目地装置を構成している。【選択図】  図１
2006138194.tif 000002
【特許請求の範囲】
【請求項１】
目地部を介して設けられた左右の躯体の一方の目地部側壁面に一端部が枢支され、他端部が該枢支部よりも上方に位置するように他方の目地部側壁面近傍に位置する目地プレートと、この目地プレートの他端部を支持する、前記他方の目地部側壁面に固定された支持体と、この支持体に前記目地プレートの他端部が支持されるように付勢するとともに、目地部が狭くなると該目地プレートの他端部の上方への回動を阻止しない付勢機構と、前記目地プレートの他端部が前記支持体よりも下方へ回動するのを阻止するストッパー機構とを備えることを特徴とする目地装置。
【請求項２】
目地部を介して設けられた左右の躯体の一方の目地部側壁面に一端部が前後方向にスライド移動可能に枢支され、他端部が該枢支部よりも上方に位置するように他方の目地部側壁面近傍に位置する目地プレートと、この目地プレートの他端部を支持する、前記他方の目地部側壁面に固定された支持ローラを備える支持体と、この支持体の支持ローラに前記目地プレートの他端部が支持されるように付勢するとともに、目地部が狭くなると該目地プレートの他端部の上方への回動を阻止しない付勢機構と、前記目地プレートの他端部が前記支持体よりも下方へ回動するのを阻止するとともに、該目地プレートをほぼ中央部で支持するストッパー機構とを備えることを特徴とする目地装置。
【請求項３】
目地部を介して設けられた左右の躯体の一方の目地部側壁面に一端部が枢支され、ローラが取付けられた他端部が該枢支部よりも上方に位置するように他方の目地部側壁面に当接あるいは近傍に位置する目地プレートと、この目地プレートの他端部が他方の目地部側壁面に当接あるいは近傍に位置するように支持するとともに、該目地プレートの上方への回動を可能に支持するワイヤー、チェーン等の支持体と、前記他方の目地部側壁面の前記目地プレートのローラが当接する部位に取付けられたスベリプレートとからなることを特徴とする目地装置。
【請求項４】
目地部を介して設けられた左右の躯体の一方の目地部側壁面に一端部が枢支され、他端部が該枢支部よりも上方に位置するように他方の目地部側壁面近傍に位置する目地プレートと、この目地プレートの下部の前記一方の目地部側壁面にヒンジ部材を介して水平方向に回動可能で、通常時は傾斜状態で位置する少なくとも２個以上の支持アームと、この少なくとも２個以上の支持アームの前記他方の目地部側壁面近傍に位置する先端部にスライド移動可能に支持されたガイドレールと、このガイドレールに下端部が枢支され、上端部が前記目地プレートの下端部からほぼ同じ寸法となる部位で枢支された支持杆とを備えることを特徴とする目地装置。
【請求項５】
目地部を介して設けられた左右の躯体の一方の目地部側壁面に一端部が枢支され、他端部が該枢支部よりも上方に位置するように他方の目地部側壁面近傍に位置する目地プレートと、この目地プレートの他端部が他方の目地部側壁面近傍に位置するように支持するとともに、該目地プレートの上方への回動を可能に支持するワイヤー、チェーン等の支持体と、前記目地プレートのほぼ中央部に一端部が枢支され、他端部が前記他方の目地部側壁面近傍に位置して、目地部が狭くなると該目地プレートを上方へ押し上げる支持杆と、この支持杆の他端部と係合するように、前記他方の目地部側壁面に取付けられた係止レールと、前記支持杆の下端部寄りの部位に一端部が取付けられ、他端部が前記目地プレートの他端部寄りの部位に取付けられた、該支持杆の下端部と前記係止レールとが常時係止するように付勢するスプリングとからなることを特徴とする目地装置。
【請求項６】
目地部を介して設けられた左右の躯体の一方の目地部側壁面に一端部が枢支され、他端部が該枢支部よりも上方に位置するように他方の目地部側壁面近傍に位置する目地プレートと、この目地プレートの他端部が他方の目地部側壁面近傍に位置するように支持するとともに、該目地プレートの上方への回動を可能に支持するワイヤー、チェーン等の支持体と、一端部が前記目地プレートの一端部とほぼ同じ位置にある、前記他方の目地部側壁面に枢支された他端部が、該目地プレートのほぼ中央部近傍に位置する支持杆と、この支持杆の他端部が前記目地プレートのほぼ中央部近傍に位置するように支持するとともに、該支持杆の上方への回動を可能に支持するワイヤー、チェーン等の支持杆支持体と、前記目地プレートのほぼ中央部に取付けられた、目地部が狭くなった場合に前記支持杆の他端部と係止する係止片とからなることを特徴とする目地装置。
【発明の詳細な説明】
【技術分野】
【０００１】
本発明は目地部を介して設けられた左右の躯体の壁面間を覆う目地装置に関する。
【背景技術】
【０００２】
従来の目地装置は目地部が狭くなるように左右の躯体が揺れ動いた場合、該左右の躯体に後端部が枢支された左右の目地プレートが上方へ回動するように構成されている。
【０００３】
このように構成された目地装置は、左右の目地プレートが目地部が狭くなると上方へ回動させるため、常時遊端部が上方に位置させる支持体を設けなければならず、構造が複雑になるとともに、支持体が目地部内に位置して、左右の躯体間の近接を最小限まで可能にできないという欠点があった。
【特許文献１】特になし
【発明の開示】
【発明が解決しようとする課題】
【０００４】
本発明は以上のような従来の欠点に鑑み、構造が簡単で、左右の躯体間の近接を最小限まで可能にできるとともに、風でバタついたりするのを効率よく阻止することができる安価で設置が容易な目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の躯体の一方の目地部側壁面に一端部が枢支され、他端部が該枢支部よりも上方に位置するように他方の目地部側壁面近傍に位置する目地プレートと、この目地プレートの他端部を支持する、前記他方の目地部側壁面に固定された支持体と、この支持体に前記目地プレートの他端部が支持されるように付勢するとともに、目地部が狭くなると該目地プレートの他端部の上方への回動を阻止しない付勢機構と、前記目地プレートの他端部が前記支持体よりも下方へ回動するのを阻止するストッパー機構とで目地装置を構成している。
【発明の効果】
【０００７】
以下の説明から明らかなように、本発明にあっては次に列挙する効果が得られる。
【０００８】
（１）目地部を介して設けられた左右の躯体の一方の目地部側壁面に一端部が枢支され、他端部が該枢支部よりも上方に位置するように他方の目地部側壁面近傍に位置する目地プレートと、この目地プレートの他端部を支持する前記他方の目地部側壁面に固定された支持体と、この支持体に前記目地プレートの他端部が支持されるように付勢するとともに、目地部が狭くなると該目地プレートの他端部の上方への回動を阻止しない付勢機構と、前記目地プレートの他端部が前記支持体よりも下方へ回動するのを阻止するストッパー機構とで構成されているので、目地部が狭くなるように左右の躯体が地震等で揺れ動いた場合、目地プレートの遊端部が他方の目地部側壁面によって上方へ押し上げられるように回動して、その揺れ動きを吸収することができる。
【０００９】
（２）前記（１）によって、目地プレートの遊端部を付勢機構で支持体に付勢しているので、風で目地プレートがバタついたりするのを効率よく阻止することができる。
【００１０】
（３）前記（１）によって、ストッパー機構で目地部が広くなっても、元に戻る時に目地プレートの遊端部が支持体に自動的に支持させることができる。
したがって、損傷したり、修理が必要になったりすることなく、維持管理が容易にできる。
【００１１】
（４）請求項２、３、４、５、６も、前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図７に示す本発明を実施するための最良の第１の形態において、１は目地部２を介して設けられた左右の躯体３、３間を覆う本発明の目地装置で、この目地装置１は前記左右の躯体３、３の一方の目地部側壁面３ａに一端部がヒンジ部材４で枢支され、他端部が該ヒンジ部材４の枢支部よりも上方に位置するように、他方の目地部側壁面３ａの近傍に位置する目地プレート５と、この目地プレート５の他端部をガイドローラ６を介して支持する、前記他方の目地部側壁面３ａに固定された少なくとも１個以上の支持体７と、この支持体７に前記目地プレート５の他端部が支持されるように付勢するとともに、目地部２が狭くなると、該目地プレート５の他端部の上方への回動を阻止しない一端部が、該目地プレート５の他端部に取付けられ、他端部が前記支持体７を通過して、該支持体７の下方の目地部側壁面３ａに取付けられたスプリング８が介装されたワイヤー９を用いた少なくとも１個以上の付勢機構１０と、前記目地プレート５の他端部が前記支持体７よりも下方へ回動するのを阻止する一端部が前記目地プレート５のほぼ中央底面に枢支金具１１で枢支され、他端部が前記ヒンジ部材４の下方の目地部側壁面３ａに固定された、アングル状の支持金具１２に支持される支持杆１３、この支持杆１３の前記目地プレート５方向への回動が可能で、前記支持金具１２に支持されなくなる回動を阻止するワイヤー１４とからなる少なくとも１個以上のストッパー機構１５と、前記支持体７の上部の他方の目地部側壁面３ａに固定された、前記目地プレート５の他端部の衝突によって、該壁面３ａが損傷するのを防止するカバープレート１６とで構成されている。
【００１４】
このように構成された目地装置１は、通常時は図３に示すように目地プレート５の他端部が付勢機構１０のスプリング８によって支持体７のガイドローラ６に付勢された状態になるとともに、目地プレート５のほぼ中央部がストッパー機構１５の支持杆１３で一方の目地部側壁面３ａに支持された状態となる。
このため、風によって目地プレート５がバタついたりするのを効率よく阻止することができる。
【００１５】
地震等によって、目地部２が狭くなるように左右の躯体３、３が揺れ動いた場合、図６に示すように目地プレート５の他端部を付勢機構１０のスプリング８の付勢力に抗して支持体７のガイドローラ６で上方へ押し上げ、その揺れ動きを吸収するが、目地プレート５がほぼ垂直状態になり、支持体７のガイドローラ６が目地プレート５に当接する最小限までの近接が可能になる。
揺れ動きが停止すると、元の状態に自動的に戻る。
【００１６】
目地部２が広くなるように左右の躯体３、３が揺れ動いた場合には、図７に示すように目地プレート５がストッパー機構１５で支持された状態で、他方の躯体３が一方の躯体３より離れた状態となり、その揺れ動きを吸収する。
このため、揺れ動きが停止すると、自動的に元の状態へ戻る。
［発明を実施するための異なる形態］
【００１７】
次に、図８ないし図４２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図８ないし図１０に示す本発明を実施するための第２の形態において、前記本発明を実施するための最良の第１の形態と主に異なる点は、目地プレート５の他端部に他方の目地部側壁面３ａに接触するローラ１７を取付けるとともに、ワイヤー９を常時スプリング１８で巻き取り方向に付勢させた巻き取りドラム１９を用いた付勢機構１０Ａを用いた点で、このように構成した目地装置１Ａにしても前記本発明を実施するための最良の第１の形態と同様な作用効果が得られる。
【００１９】
図１１ないし図１３に示す本発明を実施するための第３の形態において、前記本発明を実施するための第２の形態と主に異なる点は、ローラを用いない支持体７Ａを用いるとともに、目地プレート５の一端部寄りの底面にクランク状のストッパー片２０を固定したストッパー機構１５Ａを用いた点で、このように構成した目地装置１Ｂにしても、前記本発明を実施するための第２の形態と同様な作用効果が得られる。
【００２０】
図１４ないし図１６に示す本発明を実施するための第４の形態において、前記本発明を実施するための第２の形態と主に異なる点は、一方の目地部側壁面３ａにＣ字状の固定側金具２１と、この固定側金具２１にスライド可能でかつ回動可能に取付けられた玉縁形状の可動側金具２２とからなるヒンジ部材４Ａを用いて目地プレート５の一端部を取付けた点で、このようなヒンジ部材４Ａを用いて構成した目地装置１Ｃにしても、前記本発明を実施するための第２の形態と同様な作用効果が得られるとともに、左右の躯体３、３が前後方向に揺れ動いた場合にヒンジ部材４Ａの可動側金具２２が前後方向にスライド移動して、その揺れ動きを損傷することなく吸収することができる。
【００２１】
図１７ないし図１９に示す本発明を実施するための第５の形態において、前記本発明を実施するための最良の第１の形態と主に異なる点は、免震構造の建物の基礎部分に用いられ、擁壁躯体２３の一方の目地部側壁面２３ａと躯体３の他方の目地部側壁面３ａとの間を覆い、他方の目地部側壁面３ａにアングル状レールを水平方向に取付けて支持体７Ｂとした点で、このように構成した目地装置１Ｄにしても、前記本発明を実施するための最良の第１の形態と同様な作用効果が得られる。
【００２２】
図２０ないし図２２に示す本発明を実施するための第６の形態において、前記本発明を実施するための最良の第１の形態と主に異なる点は、他端部にローラ２４を取付けた目地プレート５Ａと、この目地プレート５Ａの他端部が他方の目地部側壁面３ａ近傍に位置するように支持するとともに、該目地プレート５Ａの上方への回動を可能に支持するワイヤー、チェーン等の支持体２５と、前記目地プレート５Ａの他端部のローラ２４が当接する他方の目地部側壁面３ａに取付けられたスベリプレート２６とを用いた点で、このように構成した目地装置１Ｅにしても、前記本発明を実施するための最良の第１の形態と同様な作用効果が得られる。
【００２３】
図２３ないし図２５に示す本発明を実施するための第７の形態において、前記本発明を実施するための第６の形態と主に異なる点は、他端部に損傷防止用のゴム２７が取付けられた目地プレート５Ｂと、この目地プレート５Ｂの下部の一方の目地部側壁面３ａにヒンジ部材２８を介して水平方向に回動可能で、通常時は傾斜状態で位置する少なくとも２個以上の支持アーム２９、２９と、この少なくとも２個以上の支持アーム２９、２９の他方の目地部側壁面３ａ近傍に位置する先端部にスライド移動可能に支持されたガイドレール３０と、このガイドレール３０に下端部が枢支ピン３１で枢支され、上端部が前記目地プレート５Ｂの下端部からほぼ同じ寸法となる部位で枢支ピン３２で枢支された支持杆３３と、前記少なくとも２個以上の支持アーム２９、２９が所定量以上回動するのを阻止するストッパー片やワイヤー、本実施の形態ではワイヤー３４と、必要に応じて設置される前記ガイドレール３０と当接するガイドプレート３５とで構成した点で、このように構成した目地装置１Ｆにしても、前記本発明を実施するための第６の形態と同様な作用効果が得られる。
【００２４】
図２６ないし図２８に示す本発明を実施するための第８の形態において、前記本発明を実施するための第６の形態と主に異なる点は、目地プレート５Ａのほぼ中央部に一端部が枢支ピン３６で枢支され、他端部が他方の目地部側壁面３ａ近傍に位置して、目地部２が狭くなると該目地プレート５Ａを上方へ押し上げる支持杆３３Ａと、この支持杆３３Ａの他端部と係合するように他方の目地部側壁面３ａに取付けられたアングル状の係止レール３７と、前記支持杆３３Ａの下端部寄りの部位に一端部が取付けられ、他端部が前記目地プレート５Ａの他端部寄りの部位に取付けられた、該支持杆３３Ａの下端部と前記係止レール３７とが常時係止するように付勢するスプリング３８とを用いた点で、このように構成した目地装置１Ｇにしても、前記本発明を実施するための第６の形態と同様な作用効果が得られる。
【００２５】
図２９ないし図３１に示す本発明を実施するための第９の形態において、前記本発明を実施するための第６の形態と主に異なる点は、一端部が前記目地プレート５Ａの一端部とほぼ同じ位置にある他方の目地部側壁面３ａに枢支ピン３９で枢支された他端部が、該目地プレート５Ａのほぼ中央部近傍に位置する支持杆３３Ｂと、この支持杆３３Ｂの他端部が前記目地プレート５Ａのほぼ中央部近傍に位置するように支持するとともに、該支持杆３３Ｂの上方への回動を可能に支持するワイヤー、チェーン等の支持杆支持体２５と、前記目地プレート５Ａのほぼ中央部に取付けられた、目地部が狭くなった場合に前記支持杆３３Ｂの他端部と係止する三角形状の係止片４０とを用いた点で、このように構成された目地装置１Ｈにしても、前記本発明を実施するための第６の形態と同様な作用効果が得られる。
【００２６】
図３２および図３３に示す本発明を実施するための第１０の形態において、前記本発明を実施するための第９の形態と主に異なる点は、目地プレート５Ａのほぼ中央部に玉縁形状の係止片４０Ａを形成するとともに、支持杆３３Ｂの他端部に該係止片４０Ａと係止する弧状の凹部４１を形成した点で、このように構成した目地装置１Ｉにしても、前記本発明を実施するための第９の形態と同様な作用効果が得られる。
【００２７】
図３４ないし図３６に示す本発明を実施するための第１１の形態において、前記本発明を実施するための第７の形態と主に異なる点は、左右の躯体３、３の上部の目地部を覆うことができるようにステップ板兼用の目地プレート５Ｃを用いるとともに、該目地プレート５Ｃの他端部を支持することができるように他方の目地部側壁面３ａに固定されたアングル状の目地プレート支持部材４２を取付けた点で、このように構成した目地装置１Ｊにしても、前記本発明を実施するための第７の形態と同様な作用効果が得られる。
【００２８】
図３７ないし図３９に示す本発明を実施するための第１２の形態において、前記本発明を実施するための第７の形態と主に異なる点は、支持杆３３が枢支された枢支ピン３２に上端部が枢支され、下端部が少なくとも２個以上の支持アーム２９、２９に支持される支持体４３を取付けた点で、このように構成した目地装置１Ｋにしても、前記本発明を実施するための第７の形態と同様な作用効果が得られるとともに、加重が加わる所に使用される目地プレート５Ｂでも確実に支持することができる。
【００２９】
図４０ないし図４２に示す本発明を実施するための第１３の形態において、前記本発明を実施するための第７の形態と主に異なる点は、先端部にローラ４４を取付けた少なくとも２個以上の支持アーム２９Ａ、２９Ａと、この少なくとも２個以上の支持アーム２９Ａ、２９Ａが目地部が狭くなって回動し元へ戻る場合に
スムーズに元へ戻るように押圧できるように取付けられた付勢スプリング４５と、
この少なくとも２個以上の支持アーム２９Ａ、２９Ａの先端部にスライド移動可能に支持されたガイドレール３０の上面を除く部位に下端部が枢支ピン３１で枢支され、上端部が目地プレート５Ｂの下端部からほぼ同じ寸法となる部位で枢支ピン３２で枢支された支持杆３３と、目地プレート５Ｂの先端部寄りの部位に上端部が枢支され、下端部が自重により前記ガイドレール３０と支持杆３３にできる凹部４６で支持される支持体４３Ａを取付けた点で、このように構成した目地装置１Ｌにしても、前記本発明を実施するための第７の形態と同様な作用効果が得られるとともに、加重が加わる所に使用される目地プレート５Ｂでも確実に支持することができる。
【産業上の利用可能性】
【００３０】
本発明は目地装置を製造する産業で利用される。
【図面の簡単な説明】
【００３１】
【図１】本発明を実施するための最良の第１の形態の平面図。
【図２】本発明を実施するための最良の第１の形態の底面図。
【図３】図１の３−３線に沿う断面図。
【図４】本発明を実施するための最良の第１の形態の支持体の説明図。
【図５】本発明を実施するための最良の第１の形態の付勢機構の説明図。
【図６】本発明を実施するための最良の第１の形態の目地部が狭くなった動作説明図。
【図７】本発明を実施するための最良の第１の形態の目地部が広くなった動作説明図。
【図８】本発明を実施するための第２の形態の平面図。
【図９】本発明を実施するための第２の形態の底面図。
【図１０】図８の１０−１０線に沿う断面図。
【図１１】本発明を実施するための第３の形態の平面図。
【図１２】本発明を実施するための第３の形態の底面図。
【図１３】図１１の１３−１３線に沿う断面図。
【図１４】本発明を実施するための第４の形態の平面図。
【図１５】本発明を実施するための第４の形態の底面図。
【図１６】図１４の１６−１６線に沿う断面図。
【図１７】本発明を実施するための第５の形態の平面図。
【図１８】本発明を実施するための第５の形態の底面図。
【図１９】図１７の１９−１９線に沿う断面図。
【図２０】本発明を実施するための第６の形態の平面図。
【図２１】本発明を実施するための第６の形態の底面図。
【図２２】図２０の２２−２２線に沿う断面図。
【図２３】本発明を実施するための第７の形態の平面図。
【図２４】本発明を実施するための第７の形態の底面図。
【図２５】図２３の２５−２５線に沿う断面図。
【図２６】本発明を実施するための第８の形態の平面図。
【図２７】本発明を実施するための第８の形態の底面図。
【図２８】図２６の２８−２８線に沿う断面図。
【図２９】本発明を実施するための第９の形態の平面図。
【図３０】本発明を実施するための第９の形態の底面図。
【図３１】図２９の３１−３１線に沿う断面図。
【図３２】本発明を実施するための第１０の形態の平面図。
【図３３】図３２の３３−３３線に沿う断面図。
【図３４】本発明を実施するための第１１の形態の平面図。
【図３５】本発明を実施するための第１１の形態の底面図。
【図３６】図３４の３６−３６線に沿う断面図。
【図３７】本発明を実施するための第１２の形態の平面図。
【図３８】本発明を実施するための第１２の形態の底面図。
【図３９】図３７の３９−３９線に沿う断面図。
【図４０】本発明を実施するための第１３の形態の平面図。
【図４１】本発明を実施するための第１３の形態の底面図。
【図４２】図４０の４２−４２線に沿う断面図。
【符号の説明】
【００３２】
１、１Ａ〜１Ｌ：目地装置、
２：目地部、                              ３：躯体、
４、４Ａ：ヒンジ部材、              
５、５Ａ〜５Ｃ：目地プレート、
６：ガイドローラ、                        
７、７Ａ、７Ｂ：支持体、
８：スプリング、                    ９：ワイヤー、
１０、１０Ａ：付勢機構、                  １１：枢支金具、
１２：支持金具、                    １３：支持杆、
１４：ワイヤー、                    
１５、１５Ａ：ストッパー機構、
１６：カバープレート、              １７：ローラ、
１８：スプリング、                        １９：巻き取りドラム、
２０：ストッパー片、                ２１：固定側金具、
２２：可動側金具、                        ２３：擁壁躯体、
２４：ローラ、                      ２５：支持体、
２６：スベリプレート、              ２７：ゴム、
２８：ヒンジ部材、                        ２９：支持アーム、
３０：ガイドレール、                ３１：枢支ピン、
３２：枢支ピン、                    
３３、３３Ａ、３３Ｂ：支持杆、
３４：ワイヤー、                    ３５：ガイドプレート、
３６：枢支ピン、                    ３７：係止レール、
３８：スプリング、                        ３９：枢支ピン、
４０、４０、：係止片、              ４１：凹部、
４２：目地プレート支持部材          ４３、４３、：支持体、
４４：ローラ、                      ４５：付勢スプリング。
【図１】
2006138194.tif 000003
【図２】
2006138194.tif 000004
【図３】
2006138194.tif 000005
【図４】
2006138194.tif 000006
【図５】
2006138194.tif 000007
【図６】
2006138194.tif 000008
【図７】
2006138194.tif 000009
【図８】
2006138194.tif 000010
【図９】
2006138194.tif 000011
【図１０】
2006138194.tif 000012
【図１１】
2006138194.tif 000013
【図１２】
2006138194.tif 000014
【図１３】
2006138194.tif 000015
【図１４】
2006138194.tif 000016
【図１５】
2006138194.tif 000017
【図１６】
2006138194.tif 000018
【図１７】
2006138194.tif 000019
【図１８】
2006138194.tif 000020
【図１９】
2006138194.tif 000021
【図２０】
2006138194.tif 000022
【図２１】
2006138194.tif 000023
【図２２】
2006138194.tif 000024
【図２３】
2006138194.tif 000025
【図２４】
2006138194.tif 000026
【図２５】
2006138194.tif 000027
【図２６】
2006138194.tif 000028
【図２７】
2006138194.tif 000029
【図２８】
2006138194.tif 000030
【図２９】
2006138194.tif 000031
【図３０】
2006138194.tif 000032
【図３１】
2006138194.tif 000033
【図３２】
2006138194.tif 000034
【図３３】
2006138194.tif 000035
【図３４】
2006138194.tif 000036
【図３５】
2006138194.tif 000037
【図３６】
2006138194.tif 000038
【図３７】
2006138194.tif 000039
【図３８】
2006138194.tif 000040
【図３９】
2006138194.tif 000041
【図４０】
2006138194.tif 000042
【図４１】
2006138194.tif 000043
【図４２】
2006138194.tif 000044